(57)【要約】      （修正有）【課題】組み合わせ式床板を提供する。【解決手段】組み合わせ式床板１０は複数の板体３０および複数のベース５０を備える。板体は底面にスライド溝３１を有する。ベースは本体５１、固定部材５３、第一フック部材５５および第二フック部材５７を備える。固定部材は板体のスライド溝をスライドできるように配置される。第一フック部材は本体の左側面に配置され、フック５５１および凹状溝５５２を有する。第二フック部材は本体の右側面に配置され、格納空間５７１および凸状縁部５７２を有する。隣り合うベースは第一フック部材のフックが第二フック部材の格納空間に入り込み、第二フック部材の凸状縁部と第一フック部材の凹状溝とが噛み合うことによって相互に連結される。上述した技術手段により、組み合わせ式床板の仕組みを簡単化し、床板を組み合わせる作業を減らし、施行の利便性および仕組みの安定性を兼ね備えることができる。【選択図】図５
0003209776.tif 000002
【実用新案登録請求の範囲】
【請求項１】
複数の板体および複数のベースを備え、
前記板体は、底面にスライド溝を有し、
前記ベースは、本体、固定部材、第一フック部材および第二フック部材を備え、前記本体は、一体成型され、頂面、底面、左側面、右側面、正面および背面を有
し、前記左側面から前記右側面までが横軸方向であり、前記正面から前記背面までが縦軸方向であり、
前記固定部材は、前記本体の前記頂面に配置され、かつ前記板体の前記スライド溝をスライドでき、
前記第一フック部材は、前記本体の前記左側面に配置され、フックおよび凹状溝を有し、前記凹状溝は前記本体の前記頂面と前記左側面との間に位置し、前記横軸方向に沿って奥に凹み、
前記第二フック部材は、前記本体の前記右側面に配置され、開放状の格納空間および凸状縁部を有し、前記凸状縁部は前記本体の前記頂面と前記右側面との間に位置し、前記横軸方向に沿って外部へ伸び、
隣り合う前記ベースは、前記第一フック部材の前記フックが前記第二フック部材の前記格納空間に入り込み、前記第二フック部材の前記凸状縁部と前記第一フック部材の前記凹状溝とが噛み合うことによって相互に連結されることを特徴とする組み合わせ式床板。
【請求項２】
前記第一フック部材の前記フックは、複数の第一歯状固定部を有し、前記第一フック部材の前記フックが有する前記第一歯状固定部は前記縦軸方向に沿って配置され、前記第二フック部材は前記格納空間の内側縁部に複数の第二歯状固定部を有し、前記第二フック部材の前記格納空間の前記内側縁部が有する前記第二歯状固定部と前記第一フック部材の前記フックが有する前記第一歯状固定部は相互に交錯するように配置され、隣り合う前記ベースの前記第一フック部材の前記フックが有する前記第一歯状固定部と前記第二フック部材の前記格納空間の前記内側縁部が有する前記第二歯状固定部とは噛み合うことを特徴とする請求項１に記載の組み合わせ式床板。
【請求項３】
前記第一フック部材の前記凹状溝は、外側縁部に複数の第一歯状固定部を有し、前記第一フック部材の前記凹状溝が有する前記第一歯状固定部は前記縦軸方向に沿って配置され、前記第二フック部材の前記凸状縁部は前記格納空間に近い部位に複数の第二歯状固定部を有し、前記第二フック部材の前記凸状縁部が有する前記第二歯状固定部と前記第一フック部材の前記凹状溝が有する前記第一歯状固定部は相互に交錯するように配置されることを特徴とする請求項１または請求項２に記載の組み合わせ式床板。
【請求項４】
前記板体は、底面に固定溝を有し、前記ベースは前記本体の前記頂面に前記固定溝に対応する部位にリブを有し、前記リブは前記固定溝に嵌め込まれることを特徴とする請求項１に記載の組み合わせ式床板。
【請求項５】
前記第一フック部材の前記フックは、外側壁面、底部および内側傾斜壁面から形成され、前記内側傾斜壁面は前記本体の前記底面の近くに位置付けられ、前記第二フック部材の前記格納空間は内側壁面、底部および外側傾斜壁面から形成され、前記内側壁面は前記本体の前記底面の近くに位置付けられることを特徴とする請求項１に記載の組み合わせ式床板。
【請求項６】
前記第一フック部材の前記フックは、前記外側壁面、前記底部および前記内側傾斜壁面の外側縁部に複数の第一歯状固定部を有し、前記第一歯状固定部は前記縦軸方向に沿って配置され、前記第二フック部材は前記内側壁面、前記底部および前記外側傾斜壁面の内側縁部に複数の第二歯状固定部を有し、前記第二歯状固定部と前記第一歯状固定部は相互に交錯するように配置され、隣り合う前記ベースの前記第一歯状固定部と前記第二歯状固定部とは噛み合うことを特徴とする請求項５に記載の組み合わせ式床板。
【請求項７】
前記第一フック部材の前記フックは前記底部と前記内側傾斜壁面との連結箇所が円角であることを特徴とする請求項５に記載の組み合わせ式床板。
【請求項８】
前記第一フック部材の前記底部および前記第二フック部材の前記底部は、相対する部位に貫通孔を有することを特徴とする請求項５に記載の組み合わせ式床板。
【請求項９】
前記板体の前記スライド溝は、直径が漸小する穿孔および内部が拡張された内部溝から構成され、前記穿孔および前記内部溝は相互に繋がり、前記固定部材は縦方向部位および横方向部位から構成され、前記縦方向部位は一端が前記本体の前記頂面に連結され、他端が前記横方向部位に連結され、前記固定部材の前記縦方向部位は前記板体の前記スライド溝の前記穿孔に配置され、前記固定部材の前記横方向部位は前記板体の前記スライド溝の前記内部溝に配置されることを特徴とする請求項１に記載の組み合わせ式床板。
【請求項１０】
前記ベースは、貫通孔を有し、前記貫通孔は前記ベースの前記頂面から前記ベースの前記底面まで貫通することを特徴とする請求項１に記載の組み合わせ式床板。
【考案の詳細な説明】
【技術分野】
【０００１】
本考案は、組み合わせ式床板、特に施工に便利で仕組みが安定する組み合わせ式床板に関するものである。
【背景技術】
【０００２】
特許文献１により提示された組み合わせ式木製床板は、複数の床板および複数の連結フックから構成される。それぞれの床板は第一連結部および第二連結部を有する。隣り合う床板を連結する際、連結フックの一端を床板の第二連結部に嵌め込み、連結フックの他端を床板の第一連結部に差し込み、複数のねじを床板に締め付ける。上述した方式によって室内に床板を順に張れば、床工事が完成する。組み合わせ式木製床板を張り、連結フックと床板とを連結する際に木製釘が必要であることには改善の余地がある。
【０００３】
特許文献２により提示された組み合わせ式床板の固定構造は、木製釘の代わりに固定装置を使用し、床板をうまく引っ掛けるために固定装置の第三突出延長部の平台およびベロ部に比較的多い隙間を有するが、床板と固定装置は緩んで脱落しやすいことがよくある。この点に対し、特許文献２は固定装置の第二突出延長部に歯状部を配置し、歯状部を木板に嵌め込め、木板と固定装置の脱落を防止する方式を採用する。しかしながら、木板と固定装置を取り外す際、歯状部が木板に嵌め込まれて生じた痕跡は完全に消去できないため、木板を復元させ、再利用することが難しい。
【０００４】
特許文献３により提示された屋外用組み合わせ式タイルは、複数の板体、複数のベースおよび少なくとも一つのフックを備える。ベースの固定部は板体のスライド溝にスライドできるように配置される。隣り合うベースは第一壁面がフックによって相互に引っ掛かって連結され、第二壁面が凹状部および凸状部が噛み合うことによって相互に当接する。少なくとも一つのフックは隣り合うベースの第二壁面の間に引っ掛かることによって屋外にタイルを組み合わせる効率、仕組みの安定性および歩行者の安全性を向上させる。しかしながら、屋外用組み合わせ式タイルを製作する際、ベースのほかにベースに対応するフックを製作しなければならない。ベースおよびフックはプラスチック材から製作されるため、大量のプラスチック材が必要である。プラスチック材の価額は日増しに上昇するため、生産コストが高くなる。一方、屋外用組み合わせ式タイルを組み合わせる際、フックを介して二つのベースを連結する、即ちベースにフックを取り付ける作業は欠かせないため、改善の余地がある。
【先行技術文献】
【特許文献】
【０００５】
【特許文献１】台湾実用新案Ｍ２７１０４６号公報
【特許文献２】米国特許７，８０５，９０３号公報
【特許文献３】台湾特許公開２０１５４５０５号公報
【考案の概要】
【考案が解決しようとする課題】
【０００６】
本考案は、仕組みおよび組み合わせ作業を簡単化し、施行の利便性を高めることができる組み合わせ式床板を提供することを主な目的とする。
【０００７】
本考案は、組み合わせ式床板のベースを提供することをもう一つの目的とする。
【課題を解決するための手段】
【０００８】
上述した課題を解決するため、組み合わせ式床板は複数の板体および複数のベースを備える。板体は底面にスライド溝を有する。ベースは本体、固定部材、第一フック部材および第二フック部材を備える。本体は頂面、底面、左側面、右側面、正面および背面を有し、左側面から右側面までが横軸方向であり、正面から背面までが縦軸方向である。固定部材は本体の頂面に配置され、かつ板体のスライド溝をスライドできる。第一フック部材は本体の左側面に配置され、フックおよび凹状溝を有する。第一フック部材の凹状溝は本体の頂面と左側面との間に位置し、横軸方向に沿って奥に凹む。第二フック部材は本体の右側面に配置され、開放状の格納空間および凸状縁部を有する。第二フック部材の凸状縁部は本体の頂面と右側面との間に位置し、横軸方向に沿って外部へ伸びる。隣り合うベースは第一フック部材のフックが第二フック部材の格納空間に入り込み、第二フック部材の凸状縁部と第一フック部材の凹状溝とが噛み合うことによって相互に連結される。上述した技術手段により、本考案による組み合わせ式床板は従来の技術によって二つの隣り合うベースの間に取り付けられるフック部材を省略できる。本考案による組み合わせ式床板の配列を施工する際、ベースの第一フック部材と隣り合う別のベースの第二フック部材とを噛み合わせれば床板を組み合わせることができるため、組み合わせ式床板の仕組みを簡単化し、床板を組み合わせる作業を減らし、施行の利便性および仕組みの安定性を兼ね備えることができる。
【０００９】
比較的好ましい場合、第一フック部材のフックは複数の第一歯状固定部を有する。第一歯状固定部は縦軸方向に沿って配置される。第二フック部材は格納空間の内側縁部に複数の第二歯状固定部を有する。第二歯状固定部と第一歯状固定部は相互に交錯するように配置される。隣り合うベースの第一歯状固定部と第二歯状固定部とは噛み合う。
【００１０】
比較的好ましい場合、第一フック部材の凹状溝は外側縁部に複数の第一歯状固定部を有する。第一歯状固定部は縦軸方向に沿って配置される。第二フック部材の凸状縁部は格納空間に近い部位に複数の第二歯状固定部を有する。第二歯状固定部と第一歯状固定部は相互に交錯するように配置される。
【００１１】
比較的好ましい場合、板体は底面に固定溝を有する。ベースは本体の頂面に固定溝に対応する部位にリブを有する。リブは固定溝に嵌め込まれる。
【００１２】
比較的好ましい場合、固定部材およびスライド溝は数が二つである。リブは固定部材の間に配置される。固定溝はスライド溝の間に配置される。
【００１３】
比較的好ましい場合、第一フック部材のフックは外側壁面、底部および内側傾斜壁面から形成される。内側傾斜壁面は本体の底面の近くに位置付けられる。第二フック部材の格納空間は内側壁面、底部および外側傾斜壁面から形成される。内側壁面は本体の底面の近くに位置付けられる。
【００１４】
比較的好ましい場合、第一フック部材のフックは外側壁面、底部および内側傾斜壁面の外側縁部に複数の第一歯状固定部を有する。第一歯状固定部は縦軸方向に沿って配置される。第二フック部材は内側壁面、底部および外側傾斜壁面の内側縁部に複数の第二歯状固定部を有する。第二歯状固定部と第一歯状固定部は相互に交錯するように配置される。隣り合うベースの第一歯状固定部と第二歯状固定部とは噛み合う。
【００１５】
比較的好ましい場合、第一フック部材のフックは底部と内側傾斜壁面との連結箇所が円角である。
【００１６】
比較的好ましい場合、板体のスライド溝は直径が漸小する穿孔および内部が拡張された内部溝から構成される。穿孔および内部溝は相互に繋がる。固定部材は縦方向部位および横方向部位から構成される。縦方向部位は一端が本体の頂面に連結され、他端が横方向部位に連結される。固定部材は縦方向部位が板体のスライド溝の穿孔に配置され、横方向部位が板体のスライド溝の内部溝に配置される。
【００１７】
比較好ましい場合、ベースは貫通孔を有する。貫通孔はベースの頂面からベースの底面まで貫通する。
【００１８】
上述した課題を解決するため、組み合わせ式床板のベースは、本体、固定部材、第一フック部材および第二フック部材を備える。本体は頂面、底面、左側面、右側面、正面および背面を有し、左側面から右側面までが横軸方向であり、正面から背面までが縦軸方向である。固定部材は本体の頂面に配置される。第一フック部材は本体の左側面に配置され、フックおよび凹状溝を有する。第一フック部材の凹状溝は本体の頂面と左側面との間に位置し、横軸方向に沿って奥に凹む。第二フック部材は本体の右側面に配置され、開放状の格納空間および凸状縁部を有する。第二フック部材の凸状縁部は本体の頂面と右側面との間に位置し、横軸方向に沿って外部へ伸びる。隣り合うベースは第一フック部材と第二フック部材とが噛み合うことによって結合するため、従来の技術によって二つの隣り合うベースの間に取り付けられるフック部材を省略できるだけでなく、組み合わせ式床板の仕組みを簡単化し、床板を組み合わせる作業を減らし、施行の利便性を向上させることができる。
【００１９】
比較的好ましい場合、第一フック部材のフックは複数の第一歯状固定部を有する。第一歯状固定部は縦軸方向に沿って配置される。第二フック部材の格納空間は内側縁部に複数の第二歯状固定部を有する。第二歯状固定部と第一歯状固定部は相互に交錯するように配置される。
【００２０】
比較的好ましい場合、第一フック部材のフックは外側壁面、底部および内側傾斜壁面から形成される。内側傾斜壁面は本体の底面の近くに位置付けられる。第二フック部材の格納空間は内側壁面、底部および外側傾斜壁面から形成される。内側壁面は本体の底面の近くに位置付けられる。
【００２１】
比較的好ましい場合、第一フック部材のフックは底部と内側傾斜壁面との連結箇所が円角である。
【００２２】
比較的好ましい場合、第一フック部材の底部および第二フック部材の底部は相対する部位に貫通孔を有する。
【００２３】
比較的好ましい場合、固定部材は縦方向部位および横方向部位から構成される。縦方向部位は一端が本体の頂面に連結され、他端が横方向部位に連結される。
【００２４】
比較的好ましい場合、ベースは頂面にリブを有する。
【図面の簡単な説明】
【００２５】
【図１】本考案の一実施形態による組み合わせ式床板のベースを示す斜視図である。
【図２】本考案の一実施形態による組み合わせ式床板のベースを示す平面図である。
【図３】本考案の一実施形態による組み合わせ式床板のベースを示す側面図である。
【図４】本考案の一実施形態による組み合わせ式床板においてのベースと別の一つのベースを組み合わせる際、ベースと別の一つのベースを傾斜させる状態を示す断面図である。
【図５】本考案の一実施形態による組み合わせ式床板においてのベースと別の一つのベースを組み合わせた後の状態を示す断面図である。
【図６】本考案の一実施形態による組み合わせ式床板の配列を示す平面図である。
【考案を実施するための形態】
【００２６】
（一実施形態）
図１から図３および図５に示すように、本考案の一実施形態による組み合わせ式床板１０は、複数の板体３０および複数のベース５０を備える。板体３０は底面にスライド溝３１を有する。ベース５０は本体５１、固定部材５３、第一フック部材５５および第二フック部材５７を備える。本体５１は頂面５１１、底面５１２、左側面５１３、右側面５１４、正面５１５および背面５１６を有し、左側面５１３から右側面５１４までが横軸方向Ｌ１であり、正面５１５から背面５１６までが縦軸方向Ｌ２である。固定部材５３は本体５１の頂面５１１に配置され、かつ板体３０のスライド溝３１をスライドできる。第一フック部材５５は本体５１の左側面５１３に配置され、フック５５１および凹状溝５５２を有する。第一フック部材５５の凹状溝５５２は本体５１の頂面５１１と左側面５１３との間に位置し、横軸方向Ｌ１に沿って奥に凹む。第二フック部材５７は本体５１の右側面５１４に配置され、開放状の格納空間５７１および凸状縁部５７２を有する。第二フック部材５７の凸状縁部５７２は本体５１の頂面５１１と右側面５１４との間に位置し、横軸方向Ｌ１に沿って外部へ伸びる。隣り合うベース５０は第一フック部材５５のフック５５１が第二フック部材５７の格納空間５７１に入り込み、第二フック部材５７の凸状縁部５７２と第一フック部材５５の凹状溝５５２とが噛み合うことによって相互に連結される。板体３０がベース５０の上方から縦軸方向Ｌ２に沿って移動することを抑制するために、ベース５０は本体５１の頂面５１１から本体５１の底面５１２まで貫通する貫通孔５１７を有する。ねじ１のねじ山部位２を貫通孔５１７に差し込み、ねじ１のヘッド部３を本体５１の底面５１２に当接させればベース５０を板体３０に締め付けることができる。
【００２７】
図１および図４に示すように、第一フック部材５５はフック５５１および凹状溝５５２の内側縁部に複数の第一歯状固定部５５３を有する。第一歯状固定部５５３は縦軸方向Ｌ２に沿って配置される。第二フック部材５７は格納空間５７１の内側縁部および凸状縁部５７２の格納空間５７１に近い部位に複数の第二歯状固定部５７３を有する。第二歯状固定部５７３と第一歯状固定部５５３は相互に交錯するように配置される。二つずつ隣り合う板体３０はベース５０の第一歯状固定部５５３および第二歯状固定部５７３によって噛み合う。上述したとおり、本考案による組み合わせ式床板１０は二つの隣り合うベース５０が間違って縦軸方向Ｌ２にスライドすることを抑制できるため、組み合わせる際の利便性をはかり、歩行者の安全性を向上させることができる。
【００２８】
第一フック部材５５のフック５５１は外側壁面５５４、底部５５５および内側傾斜壁面５５６から形成される。第一フック部材５５の底部５５５は貫通孔５５７を有する。内側傾斜壁面５５６は本体５１の底面５１２の近くに位置付けられる。第二フック部材５７の格納空間５７１は内側壁面５７４、底部５７５および外側傾斜壁面５７６から形成される。第二フック部材５７の底部５７５は第一フック部材５５の底部５５５に相対する部位に貫通孔５７７を有する。第一フック部材５５の貫通孔５５７と第二フック部材５７の貫通孔５７７とは相互に繋がる。内側壁面５７４は本体５１の底面５１２の近くに位置付けられる。第一フック部材５５のフック５５１は外側壁面５５４、底部５５５および内側傾斜壁面５５６の外側縁部に複数の第一歯状固定部５５３を有する。第一歯状固定部５５３は縦軸方向Ｌ２に沿って配置される。第二フック部材５７は内側壁面５７４、底部５７５および外側傾斜壁面５７６の内側縁部に複数の第二歯状固定部５７３を有する。第二歯状固定部５７３と第一歯状固定部５５３は相互に交錯するように配置される。隣り合うベース５０は第一歯状固定部５５３と第二歯状固定部５７３によって噛み合う。図４から図６に示すように、第一フック部材５５のフック５５１は底部５５５と内側傾斜壁面５５６との連結箇所が円角５５８であるため、組み合わせ式床板１０を組み合わせ、ベース５０と別のベース５０'とを結合させる角度と、板体３０、３０'の間の隙間Ｄとを縮小できるだけでなく、第二フック部材５７の格納空間５７１に第一フック部材５５のフック５５１を容易に入り込ませることができる。
【００２９】
本実施形態において、板体３０は底面に二つのスライド溝３１を有する。スライド溝３１は直径が漸小する穿孔３１１および内部が拡張された内部溝３１３から構成される。穿孔３１１および内部溝３１３は相互に繋がることによって収納空間を形成する。それに対し、ベース５０は本体５１の頂面５１１に二つの固定部材５３を有する。固定部材５３は縦方向部位５３１および横方向部位５３３から構成される。縦方向部位５３１は一端が本体５１の頂面５１１に連結され、他端が横方向部位５３３に連結される。組み合わせ式床板１０を組み合わせる際、板体３０のスライド溝３１の穿孔３１１に固定部材５３の縦方向部位５３１を位置させ、板体３０のスライド溝３１の内部溝３１３に固定部材５３の横方向部位５３３を位置させれば、ベース５０上の横軸方向Ｌ１に沿って板体３０を移動させることを抑制する。一方、歩行者が真っ直ぐ歩いたりカーブを曲がったりする際、カーブを曲がる際に生じたトルクは板体３０を横に移動させることがよくある。上述した問題を効果的に解決するために、板体３０は底面に固定溝３３を有する。図３に示すように、ベース５０は本体５１の頂面５１１に固定溝３３に対応するリブ５１８を有する。ベース５０のリブ５１８は板体３０の固定溝３３に嵌め込まれる。固定溝３３は二つのスライド溝３１の間に位置する。リブ５１８は二つの固定部材５３の間に位置する。固定部材５３およびスライド溝３１によって板体３０を横に移動させることを抑制し、リブ５１８と固定溝３３とを嵌め合わせることによって板体３０をベース５０の上方から斜めに回転させることを効果的に抑制することができる。
【００３０】
図６に示すように、本考案による組み合わせ式床板１０は長い板体３０の底面に六つのベース５０を有し、短い板体３０の底面に三つのベース５０を有する。組み合わせ式床板１０を組み合わせる際、長い板体３０を一列目に配置し、横の二列目の先頭に短い板体３０を配置し、続いて長い板体３０を配置し、その後、三行目と一行目と同じように長い板体３０を配置し、四行目と二行目と同じように短い板体３０を配置し、上述した配列によって組み合わせ式床板１０を横に組み合わせ、拡張する。上述した配置方式はベース５０を相互に嵌め合わせることによって長い板体３０と短い板体３０を横軸方向に移動させるか、斜めに回転させることを抑制する。上述した技術手段により、本考案による組み合わせ式床板は従来の技術によって二つの隣り合うベースの間に取り付けられるフック部材を省略できる。本考案による組み合わせ式床板の配列を施工する際、ベースの第一フック部材と隣り合う別のベースの第二フック部材とを噛み合わせれば床板を組み合わせることができるため、組み合わせ式床板の仕組みを簡単化し、床板を組み合わせる作業を減らし、施行の利便性および仕組みの安定性を兼ね備えることができる。
【符号の説明】
【００３１】
１０：組み合わせ式床板、  
３０：板体、  
３１：スライド溝、  
３１１：穿孔、  
３１３：内部溝、  
３３：固定溝、  
５０：ベース、  
５１：本体、  
５１１：頂面、  
５１２：底面、  
５１３：左側面、  
５１４：右側面、  
５１５：前面、  
５１６：後面、  
５１７：貫通孔、  
５１８：リブ、  
５３：固定部材、  
５３１：縦方向部位、  
５３３：横方向部位、  
５５：第一フック部材、  
５５１：フック、  
５５２：凹状溝、  
５５３：第一歯状固定部、  
５５４：外壁面、  
５５５底部、  
５５６：内側傾斜壁面、  
５５７：貫通孔、  
５５８：円角、  
５７：第二フック部材、  
５７１：格納空間、  
５７２：凸状縁部、  
５７３：第二歯状固定部、  
５７４：内側壁面、  
５７５底部、  
５７６：外側傾斜壁面、  
５７７：貫通孔、  
Ｌ１：横軸方向、  
Ｌ２：縦軸方向、  
１：ねじ、  
２：ねじ山部位、  
３：ヘッド部、
【図１】
0003209776.tif 000003
【図２】
0003209776.tif 000004
【図３】
0003209776.tif 000005
【図４】
0003209776.tif 000006
【図５】
0003209776.tif 000007
【図６】
0003209776.tif 000008